(57)【要約】【課題】ホットメルト接着剤や封緘テープなどを用いることなく、対向するフラップ同士を確実に固定することができる収納容器を提供する。【解決手段】第１フラップ７と、前記第１フラップ７に固定される第２フラップ８とを有する紙製の収納容器１であって、前記第１フラップ７は第２フラップ８が固定される１つ以上の固定穴１３と該固定穴１３を閉塞する閉塞片１４とを備えており、前記第２フラップ８には、前記固定穴１３よりも幅広に形成され前記固定穴１３に押し込まれて固定穴１３の外周に係合する押し込み片２１が前記固定穴１３と対応する位置に形成されると共に、前記閉塞片１４を固定する固定手段である係止片３２が形成されており、前記固定穴１３に前記押し込み片２１が押し込まれた状態で、前記閉塞片１４が該固定穴１３を閉塞し、該閉塞片１４は該固定穴１３を閉塞した状態で係止片３２によって固定される。【選択図】図３
2015016890.tif 000002
【特許請求の範囲】
【請求項１】
第１フラップと、前記第１フラップに固定される第２フラップとを有する紙製の収納容器であって、
前記第１フラップには、第２フラップが固定される１つ以上の固定穴と該固定穴を閉塞する閉塞片とを備えており、
前記第２フラップには、前記固定穴よりも幅広に形成され前記固定穴に押し込まれて固定穴の周縁部に係合する押し込み片が前記固定穴と対応する位置に形成されると共に、前記閉塞片を固定する固定手段が形成されており、
前記固定穴に前記押し込み片が押し込まれた状態で、前記閉塞片が該固定穴を閉塞し、該閉塞片は該固定穴を閉塞した状態で前記固定手段によって固定されることを特徴とする収納容器。
【請求項２】
請求項１に記載の収納容器であって、
前記固定穴の外周のうち、一部に折曲線が形成され他の部分に切り込み線が形成されて、前記切り込み線に沿って抜き出された抜き出し部分が前記閉塞片とされることを特徴とする収納容器。
【請求項３】
請求項２に記載の収納容器であって、
前記切り込み線は、略コの字状に形成されてなることを特徴とする収納容器。
【請求項４】
請求項３に記載の収納容器であって、
固定手段は押し込み片に形成された係止片であり、前記閉塞片の先端部が前記係止片に嵌め込まれて固定されることを特徴とする収納容器。
【発明の詳細な説明】
【技術分野】
【０００１】
本発明は、食品類，医薬品類，精密部品類，インクカートリッジ等を収容する収納容器に関する。
【背景技術】
【０００２】
従来の収納容器では、フラップが設けられた開口部を閉塞するために、フラップ同士をホットメルト接着剤で接着している。ホットメルト接着剤は１０秒程度で固着する速効性の接着剤であり、このような製函用途に利用されている。
【先行技術文献】
【特許文献】
【０００３】
【特許文献１】特開２０１３−７１７４０号公報
【発明の概要】
【発明が解決しようとする課題】
【０００４】
しかしながら、ホットメルト接着剤を用いてフラップを接着する場合には、接着強度が不十分であったり、ホットメルト接着剤が糸を引き、あるいはホットメルト接着剤が収納部に付着することがあった。またホットメルト接着剤は有機溶剤等の化学物質を使用しているため、ホットメルト接着剤を用いることなくフラップを固定することができれば、環境保護の観点からも好ましい。また封緘テープなどを用いて固定する方法もあるが、この方法では貼付作業が面倒になるという問題があった。
【０００５】
本発明の主な目的は、ホットメルト接着剤や封緘テープなどを用いることなく、対向するフラップ同士を確実に固定することができる収納容器を提供することである。
【課題を解決するための手段及び発明の効果】
【０００６】
上記目的を達成するために、本発明の一の収納容器によれば、第１フラップと、前記第１フラップに固定される第２フラップとを有する紙製の収納容器であって、前記第１フラップは第２フラップが固定される１つ以上の固定穴と該固定穴を閉塞する閉塞片とを備えており、前記第２フラップには、前記固定穴よりも幅広に形成され前記固定穴に押し込まれて固定穴の外周に係合する押し込み片が前記固定穴と対応する位置に形成されると共に、前記閉塞片を固定する固定手段が形成されており、前記固定穴に前記押し込み片が押し込まれた状態で、前記閉塞片が該固定穴を閉塞し、該閉塞片は該固定穴を閉塞した状態で前記固定手段によって固定される。
【０００７】
上記構成により、固定穴に押し込み片を押し込んで、第１フラップと第２フラップとを容易に固定することができる。押し込み片が押し込まれた固定穴は閉塞片で閉塞されるので、外観を美的に処理することができる。  
【０００８】
また、前記固定穴の外周のうち、一部に折曲線が形成され他の部分に切り込み線が形成されて、前記切り込み線に沿って抜き出された抜き出し部分が前記閉塞片とされる。
【０００９】
上記構成により、極めて簡単に固定穴と、これを閉塞する閉塞片とを同時に形成することができる。
【００１０】
また、前記切り込み線は、略コの字状に形成されてなる。
【００１１】
上記構成により、押し込み片は、コの字の底部に位置する底辺に沿って折り曲げられて、固定穴の奥側に押し込まれる。押し込まれた押し込み片の固定穴よりも幅広な部分が、コの字の底部の両端から立ち上がる側辺の裏側に当接して確実に固定される。
【００１２】
また、固定手段は押し込み片に形成された係止片であり、前記閉塞片の先端部が前記係止片に嵌め込まれて固定される。
【００１３】
上記構成により、閉塞片を容易に固定することができる。
【図面の簡単な説明】
【００１４】
【図１】本発明の第１の実施形態に係る収納容器の展開図である。
【図２】上板と側板と底板とを筒状に連結した状態の斜視図である。
【図３】縦フラップと第１フラップとを閉じた状態の斜視図である。
【図４】第２フラップを閉じた状態の斜視図である。
【図５】押し込み片を固定穴に押し込んだ状態の斜視図である。
【図６】押し込み片を固定穴に押し込んだ状態の拡大図である。
【図７】閉塞片を閉じた状態の拡大図である。
【図８】閉塞片を閉じた状態の斜視図である。
【図９】本発明の第２の実施形態に係る収納容器の展開図である。
【図１０】上板と側板と底板とを筒状に連結した状態の斜視図である。
【図１１】縦フラップと第１フラップとを閉じた状態の斜視図である。
【図１２】第２フラップを閉じた状態の斜視図である。
【図１３】押し込み片を固定穴に押し込んだ状態の斜視図である。
【図１４】押し込み片を固定穴に押し込んだ状態の拡大図である。
【図１５】閉塞片を閉じた状態の拡大図である。
【図１６】閉塞片を閉じた状態の斜視図である。
【図１７】本発明の第３の実施形態に係る収納容器の展開図である。
【図１８】上板と側板と底板とを筒状に連結した状態の斜視図である。
【図１９】縦フラップと第１フラップとを閉じた状態の斜視図である。
【図２０】第２フラップを閉じた状態の斜視図である。
【図２１】押し込み片を固定穴に押し込んだ状態の斜視図である。
【図２２】押し込み片を固定穴に押し込んだ状態の拡大図である。
【図２３】閉塞片を閉じる手順を示す拡大図である。
【図２４】閉塞片を閉じた状態の斜視図である。
【発明を実施するための形態】
【００１５】
以下、本発明の第１の実施形態について図面に基づいて説明する。ただし、以下に示す実施例は、本発明の技術思想を具体化するための収納容器を例示するものであって、収納容器を以下のものに特定するものではない。
【００１６】
図１は、本発明の第１の実施形態に係る収納容器１の展開図を示している。上板２，側板４，底板３および側板５がこの順番に連設されており、側板５にはさらに収納物の上部に載置される載置板６が連設されている。上板２の両側には第１フラップ７が各々形成されており、底板３の両側には第２フラップ８が各々形成されている。側板４，側板５の両側には縦フラップ９，１０が各々形成されている。
【００１７】
第１フラップ７には固定穴１３が左右対称に２箇所形成されており、固定穴１３には、固定穴１３を閉塞する閉塞片１４が設けられている。固定穴１３は略長方形の形状を有しており、固定穴１３の外周は、コの字状の切り込み線１５と切り込み線１５の両端を結ぶ折り曲げ線１６とで形成されている。閉塞片１４は切り込み線１５に沿って抜き出された抜き出し部分によって形成されており、折り曲げ線１６で折り曲げ可能である。
【００１８】
コの字状の切り込み線１５の先端部には折り曲げ片１８が形成されている。折り曲げ片１８は水平方向に細長な長方形であり、折り曲げ線１７によって、固定穴１３の奥側に折り曲げ可能である。
【００１９】
第２フラップ８の先端部には押し込み片２１が左右対称に２箇所形成されている。押し込み片２１は本体部２３を備えている。本体部２３は基端部側の折り曲げ線２７で折り曲げ可能である。本体部２３の両側には三角形の係合部２４が折り曲げ可能に連設されており、本体部２３の先端部側には本体部２３と同幅の係合部２８が折り曲げ可能に連設されている。さらに本体部２３の基端部中央は凹状に切り欠かれて、固定手段である係止片３２が設けられている。係止片３２は、閉塞片１４が閉じられた状態で閉塞片１４の先端部を係止する。なお、本体部２３は第１フラップ７の固定穴１３の開口よりも幅狭に形成されており、固定穴１３を挿通可能である。
【００２０】
上板２には、半円弧状の切り欠き部２９と切り欠き部２９の端部から斜めに形成されたミシン目３０とが形成されており、切り欠き部２９を持ち上げミシン目３０に沿って破断して、収納物を取り出すことができる。
【００２１】
ここで収納容器１の組み立て手順について説明する。図２は、上板２が載置板６にホットメルト接着されて、上板２，側板４，底板３，側板５が筒状に連設された状態を示す。この状態で筒状部の端面に長方形の開口部が形成される。上板２の端面と底板３の端面とで対向する２つの長辺が形成され、側板４の端面と側板５の端面とで対向する２つの短辺が形成されている。対向する２つの長辺から第１フラップ７と第２フラップ８とが突出しており、対向する２つの短辺から縦フラップ９と縦フラップ１０とが突出している。
【００２２】
図３は、縦フラップ９，１０が閉じられ、さらに第１フラップ７が閉じられた状態を示す。このとき第２フラップ８は閉じられておらず、第１フラップ７に形成された固定穴１３は閉塞片１４で塞がれていない。第２フラップ８が閉じられるとき、第２フラップ８が閉塞片に当接することを防止するために、第１フラップ７の閉塞片１４は開けられて、水平方向あるいは斜め上方に向けられている。なお、第１フラップ７が閉じられたとき、第１フラップ７の角部が側板４，５から突出しないようにするために、第１フラップ７の角部は斜めに面取りされている。
【００２３】
図４は  第２フラップ８が閉じられて、第１フラップ７の先端部が第２フラップ８で覆われた状態を示す。本体部２３の両側に連設された三角形の係合部２４は、固定穴１３の側部２５に当接し、本体部２３の先端部側に連設された係合部２８は、折り曲げられて閉塞片１４の裏面に当接している。この状態で、押し込み片２１が第１フラップ７の固定穴１３に押し込まれる。このときの状態を図５，図６に示す。押し込み片２１は、押し込み片２１の基端部に設けられた折り曲げ線２７で折り曲げられて、固定穴１３の奥側に倒れ込むように押し込まれる。このとき折り曲げ片１８は、折り曲げ線１７で固定穴１３の奥側に折り曲げられる。押し込み片２１の本体部２３は固定穴１３よりも幅狭に形成されており、固定穴１３に挿入可能である。
【００２４】
本体部２３が固定穴１３に押し込まれるとき、本体部２３の両側に連設された三角形の係合部２４は、固定穴１３の側部２５に当接し、本体部２３の側辺２６で折り曲げられる。押し込み片２１は、係合部２４が側辺２６で折り曲げられ、係合部２８が折り曲げ線３１で折り曲げられた状態で、本体部２３とともに固定穴１３の奥側に押し込まれる。本体部２３が固定穴１３の奥側に入ると、係合部２４は固定穴１３の側部２５から離れ、係合部２８は閉塞片１４の裏面から離れる。そうすると、係合部２４と係合部２８とは、弾性力によって折り曲げられる前の状態に広がる。これによって係合部２４は固定穴１３の側部２５の裏面に係合し、係合部２８は固定穴１３の上部の裏面に係合して確実に固定される。
【００２５】
なお、第２フラップ８が閉じられたとき、第２フラップ８の角部が側板４，５から突出しないようにするために、第２フラップ８の角部は斜めに面取りされている。
【００２６】
図７，図８は閉塞片１４を閉じて、閉塞片１４の先端部を第２フラップ８の係止片３２に係合させた状態を示す図である。係止片３２は先端が円弧状に形成された舌片であり、閉塞片１４の先端部を係止片３２に簡単に係合させることができる。
【００２７】
以下、本発明の第２の実施形態について図面に基づいて説明する。ただし、以下に示す実施例は、本発明の技術思想を具体化するための収納容器を例示するものであって、収納容器を以下のものに特定するものではない。なお、第１の実施形態の説明と重複する部分については説明を省略し、同一の参照符を用いることとする。
【００２８】
図９は、本発明の第１の実施形態に係る収納容器４１の展開図を示している。固定穴１３は略長方形の形状を有しており、固定穴１３の外周は、コの字状の切り込み線１５と切り込み線１５の両端を結ぶ折り曲げ線１６とで形成されている。閉塞片５４は切り込み線１５に沿って抜き出された抜き出し部分によって形成され、折り曲げ線１６で折り曲げ可能であるが、閉塞片５４の先端部中央には凸部５９が形成されており、この凸部５９が後述する係止片３２に係止される。閉塞片５４の先端部に設けた凸部５９を、第２フラップ８の係止片３２に係止させるので、閉塞片５４の先端部を係止片３２に直接係止される場合に比べて閉塞片５４を小さくすることができる。
【００２９】
コの字状の切り込み線１５の先端部には折り曲げ片５８が形成されている。折り曲げ片５８は折り曲げ線１７によって、固定穴１３の奥側に折り曲げ可能であるが、折り曲げ片５８と突き合わせ位置にある閉塞片５４に凸部５９が形成されるため、折り曲げ片５８の先端部には凹部が形成されている。
【００３０】
ここで収納容器４１の組み立て手順について説明する。図１０は、上板２が載置板６にホットメルト接着されて、上板２，側板４，底板３，側板５が筒状に連設された状態を示す。図１１は、縦フラップ９，１０が閉じられ、さらに第１フラップ７が閉じられた状態を示す。図１２は  第２フラップ８が閉じられて、第１フラップ７の先端部が第２フラップ８で覆われた状態を示す。この状態で押し込み片２１が第１フラップ７の固定穴１３に押し込まれる。このときの状態を図１３，図１４に示す。
【００３１】
図１５，図１６は、閉塞片５４が閉じられて、閉塞片５４の先端部中央に形成された凸部５９が第２フラップ８の係止片３２に係合された状態を示す図である。閉塞片５４の先端部が係止片３２に係止される場合には、閉塞片５４の全幅が係止片３２を乗り越えなければならないが、閉塞片５４の先端部に凸部５９を設けて、この幅狭な凸部５９が係止片３２を乗り越える構成とするので、凸部５９は小さい力で簡単に弾性変形して係止片３２を乗り越えることができる。これによって、凸部を容易に係止片３２に係止されることができる。
【００３２】
以下、本発明の第３の実施形態について図面に基づいて説明する。ただし、以下に示す実施例は、本発明の技術思想を具体化するための収納容器を例示するものであって、収納容器を以下のものに特定するものではない。なお、第１または第２の実施形態の説明と重複する部分については説明を省略し、同一の参照符を用いることとする。
【００３３】
図１７は、本発明の収納容器７１の展開図を示している。コの字状の切り込み線１５の底部中央には半円状の円弧７７が形成されており、この円弧７７によって、閉塞片７４の先端に凸部７８が形成される。閉塞片７４は、この凸部７８が後述する押し込み片２１の切り込み８２に嵌め込まれて固定可能である。押し込み片２１は長方形の本体部２３を備えており、本体部２３の両側には三角形の係合部２４が連設されている。押し込み片２１の基端部側には、固定穴１３を閉塞した状態で閉塞片７４を固定する切り込み８２が形成されている。切り込み８２は固定手段である。
【００３４】
ここで収納容器７１の組み立て手順について説明する。図１８は、上板２が側板５側にホットメルト接着されて、上板２，側板４，底板３，側板５が筒状に連設された状態を示す。図１９は、縦フラップ９，１０が閉じられた後に第１フラップ７が閉じられた状態を示す。図２０は第２フラップ８が閉じられて第１フラップ７の先端部側を覆った状態を示す。第２フラップ８が第１フラップ７に当接した状態で、押し込み片２１が第１フラップ７の固定穴１３に押し込まれる。このときの状態を図２１，図２２に示す。押し込み片２１は、押し込み片２１の基端部側に設けられた水平方向の切り込み８２で折り曲げられて、固定穴１３の奥側に倒れ込むように押し込まれる。
【００３５】
本体部２３が固定穴１３に押し込まれるとき、本体部２３の両側に形成された三角形の係合部２４は固定穴１３の側部２５に当接し、本体部２３の側辺２６で折り曲げられる。係合部２４は、折り曲げられた状態で本体部２３とともに固定穴１３の奥側に押し込まれる。本体部２３が固定穴１３の奥側に入って、係合部２４が固定穴１３の側部２５から離れると、係合部２４は弾性力によって折り曲げられる前の状態に広げられる。これによって係合部２４は固定穴１３の側部２５の裏面に係合して確実に固定される。
【００３６】
図２３は閉塞片７４の凸部７８を第２フラップ８の切り込み８２に嵌め込んで固定穴１３を閉塞する手順を示す図であり、図２４は閉塞片７４の凸部７８が切り込み８２に嵌め込まれて固定穴１３が閉塞された状態を示す図である。押し込み片２１は、切り込み８２の位置で、固定穴１３の奥側に倒れ込むように折り曲げられるので、このとき切り込み８２は斜め上方に向くようになる。これによって閉塞片７４の凸部７８を切り込み８２に嵌め込み易くなる。
【００３７】
第１〜第３の実施形態に示すように、フラップ７に固定されたフラップ８が開けられた場合には、フラップ８の押し込み片２１が破れて破損するので、再びフラップ８を閉じることができない。これによって収納物の安全性を保つことができる。また、押し込み片２１が係合された固定孔１３は閉塞片１４，５４，７４によって覆われるので外観美的に保つことができる。
固定孔１３は１つでもよく、あるいは３つ以上であってもよい。収納容器１の側面のフラップを固定する場合について説明したが、上蓋を形成するフラップ、あるいは底板を形成するフラップを固定する場合にも適用することができる。
【産業上の利用可能性】
【００３８】
本発明の収納容器は、食品類，医薬品類，精密部品類，インクカートリッジ等を収容する収納容器として好適に利用できる。
【符号の説明】
【００３９】
１，４１，７１…収納容器
２…上板
３…底板
４，５…側板
６…載置板
７…第１フラップ
８…第２フラップ
９，１０…縦フラップ
１３…固定穴
１４，５４，７４…閉塞片
１５…切り込み線
１６，１７，１８，２７，３１，５８…折り曲げ片
２１…押し込み片
２３…本体部
２４…係合部
２５…側部
２６…側辺
２８…係合部
２９…切り欠き
３０…ミシン目
３２…係止片
５９，７８…凸部
７７…円弧
８２…切り込み
【図１】
2015016890.tif 000003
【図２】
2015016890.tif 000004
【図３】
2015016890.tif 000005
【図４】
2015016890.tif 000006
【図５】
2015016890.tif 000007
【図６】
2015016890.tif 000008
【図７】
2015016890.tif 000009
【図８】
2015016890.tif 000010
【図９】
2015016890.tif 000011
【図１０】
2015016890.tif 000012
【図１１】
2015016890.tif 000013
【図１２】
2015016890.tif 000014
【図１３】
2015016890.tif 000015
【図１４】
2015016890.tif 000016
【図１５】
2015016890.tif 000017
【図１６】
2015016890.tif 000018
【図１７】
2015016890.tif 000019
【図１８】
2015016890.tif 000020
【図１９】
2015016890.tif 000021
【図２０】
2015016890.tif 000022
【図２１】
2015016890.tif 000023
【図２２】
2015016890.tif 000024
【図２３】
2015016890.tif 000025
【図２４】
2015016890.tif 000026